(57)【要約】【課題】交換作業が容易な油圧ブレーカのフロントホルダを提供する。【解決手段】フロントホルダ１７は、フロントヘッド部およびシリンダ部を有するシリンダ１０と、シリンダ１０の後部に装着されるバックヘッド１１と、を備え、シリンダ１０が、フロントヘッド部にチゼル１３が摺動可能に設けられるとともに、シリンダ部にピストン１２が摺動可能に設けられる油圧ブレーカ１に用いられ、フロントヘッド部内の奥部に装着され、チゼル１３のラジアル荷重およびスラスト荷重の両方を支持する。フロントホルダ１７は、フロントヘッド部の内径と当該フロントホルダ１７の外径との嵌合い公差が中間嵌めとされており、フロントホルダ１７の表面には、リン酸マンガン皮膜が形成されている。【選択図】図１
2020099956.tif 000002
【特許請求の範囲】
【請求項１】
前方から順にフロントヘッド部およびシリンダ部を有するシリンダと、該シリンダの後部に装着されるバックヘッドと、を有する２ピース構造の本体部を備え、前記シリンダは、前記フロントヘッド部にチゼルが摺動可能に設けられるとともに、前記シリンダ部にピストンが摺動可能に設けられる油圧ブレーカに用いられ、前記フロントヘッド部内の奥部に装着されて、前記チゼルのラジアル荷重およびスラスト荷重の両方を支持するフロントホルダであって、
前記フロントヘッド部の内径と当該フロントホルダの外径との嵌合い公差が中間嵌めとされており、
当該フロントホルダの表面に、リン酸マンガン皮膜が形成されていることを特徴とする油圧ブレーカ用フロントホルダ。
【請求項２】
前記リン酸マンガン皮膜は、その皮膜の厚さが３〜７μｍであり、かつ、該皮膜を形成する粒子サイズが微細粒子である請求項１に記載の油圧ブレーカ用フロントホルダ。
【請求項３】
前記フロントホルダは、その母材金属がクロムモリブデン鋼であり、浸炭焼入れ済みの前記母材金属に、前記リン酸マンガン皮膜が形成されているものである請求項１または２に記載の油圧ブレーカ用フロントホルダ。
【請求項４】
請求項１〜３のいずれか一項に記載の油圧ブレーカ用フロントホルダを備えることを特徴とする油圧ブレーカ。
【発明の詳細な説明】
【技術分野】
【０００１】
本発明は、油圧ブレーカに係り、特に、油圧ブレーカのチゼルを保持するフロントホルダに関する。
【背景技術】
【０００２】
周知の油圧ブレーカの構成は、例えば特許文献１の図３に開示されるように、シリンダ、フロントヘッド、バックヘッドの３ピース構造の本体部を有し、この本体部のフロントヘッド内にチゼルを摺嵌するとともに、本体部のシリンダ内にピストンを摺嵌している。シリンダには、コントロールバルブおよびアキュムレータを備えている。
本体部は、シリンダ、フロントヘッドおよびバックヘッドが、長尺のスルーボルトで締結されている。スルーボルトで締結する構造の油圧ブレーカにおいては、長尺なスルーボルトの折損が問題となる。
【０００３】
そこで、本出願人は、油圧ブレーカの本体部をシリンダとバックヘッドの２ピース構造とし、締結ボルトの長さを大幅に短縮することで折損を防止し得る油圧ブレーカを提案している（特許文献１参照）。
ここで、特許文献１に開示される、２ピース構造の本体部を有する油圧ブレーカについて説明する。
図４に示すように、この種の油圧ブレーカ１００は、シリンダ１０およびバックヘッド１１をボルト２２で締結した本体部に、ピストン１２およびチゼル１３が摺嵌され、シリンダ１０には、コントロールバルブ１４およびアキュムレータ１５が設けられている。
【０００４】
シリンダ１０の内部は、前方から後方へ向けてフロントヘッド部内径（前）２３、フロントヘッド部内径（後）２４、シリンダ部内径２５が形成され、フロントヘッド部内径（後）２４とシリンダ部内径２５との間には、ラビリンスシール２６が設けられている。
フロントヘッド部内径（前）２３には、フロントキャップ１６が設けられ、フロントヘッド部内径（後）２４には、フロントホルダ１７０が設けられている。シリンダ部内径２５には、前方から後方に向けてワッシャ１８、シリンダライナ（前）１９、シリンダライナ（後）２０、およびシールリテーナ２１が設けられている。
【０００５】
フロントキャップ１６とフロントホルダ１７０はチゼル１３を摺動案内し、フロントホルダ１７０に関しては、チゼル１３のテーパ部１３ａをテーパ部１７０ａが当接して保持することで、チゼル１３の後退ストロークエンドのストッパとしても作用する。シリンダライナ（前）１９とシリンダライナ（後）２０はピストン１２を摺動案内する。
油圧ブレーカ１００は、公知の打撃機構によりピストン１２を前進後退駆動し、ピストン１２でチゼル１３を打撃する。この打撃によって生じる衝撃エネルギーをチゼル１３によって破砕対象に伝達して破砕対象を破砕する。
【０００６】
油圧ブレーカ１００で破砕作業を行う際には、チゼル１３が反発によって破砕対象と離反することを防止するために、油圧ブレーカ１００を破砕対象に対して大きな荷重で押し付ける。また、破砕作業中は、チゼル１３で破砕作業を抉る動作を伴うことが多い。
したがって、チゼル１３の軸受部材であるフロントキャップ１６とフロントホルダ１７０には大きな荷重負荷が作用する。特に、チゼル１３のテーパ部１３ａをテーパ部１７０ａで支持するフロントホルダ１７０には、通常のラジアル荷重に加えて、押し付けによって生じる強大なスラスト荷重が作用するため、より過酷な使用環境下にあるといえる。
【先行技術文献】
【特許文献】
【０００７】
【特許文献１】特開２０１４−１３６３０２号公報
【発明の概要】
【発明が解決しようとする課題】
【０００８】
フロントキャップ１６は、フロントヘッド部内径（前）２３に冷し嵌めで固定され、フロントホルダ１７０は、その外径１７０ｂがフロントヘッド部内径（後）２４に冷し嵌めで固定されている。
ここで、フロントキャップ１６とフロントホルダ１７０はともに消耗部材であり、定期的な交換が必要となる。フロントキャップ１６の交換作業は、フロントキャップ１６を加熱によって膨張させ、シリンダ１０との熱膨張係数の違いを利用しながらプレス装置で加圧分離する。
【０００９】
しかし、フロントホルダ１７０は、２ピース構造のシリンダ１０内の奥部に装着されている。そのため、このような加熱を利用する分離が容易でなく、フロントホルダ１７０の交換作業は極めて困難である。
そこで、本発明は、このような問題点に着目してなされたものであって、交換作業が容易な油圧ブレーカ用フロントホルダおよびこれを備える油圧ブレーカを提供することを課題とする。
【課題を解決するための手段】
【００１０】
上記課題を解決するために、本発明の一態様に係る油圧ブレーカ用フロントホルダは、フロントヘッド部およびシリンダ部を有するシリンダと、該シリンダの後部に装着されるバックヘッドと、を有する２ピース構造の本体部を備え、前記シリンダは、前記フロントヘッド部にチゼルが摺動可能に設けられるとともに、前記シリンダ部にピストンが摺動可能に設けられる油圧ブレーカに用いられ、前記フロントヘッド部内の奥部に装着され、前記チゼルのラジアル荷重およびスラスト荷重の両方を支持するフロントホルダであって、前記フロントヘッド部の内径と当該フロントホルダの外径との嵌合い公差が中間嵌めとされており、当該フロントホルダの表面には、リン酸マンガン皮膜が形成されていることを特徴とする。
【００１１】
本発明の一態様に係る油圧ブレーカ用フロントホルダによれば、フロントヘッド部の内径とフロントホルダの外径の嵌合い公差が中間嵌めなので、チゼルによってフロントホルダに作用するラジアル荷重とスラスト荷重を保持することが可能である。
その一方で、当該フロントホルダの表面には、リン酸マンガン皮膜が形成されているので、フロントホルダの交換作業の際には、プレス装置の静的荷重が作用すると、リン酸マンガン皮膜による摺動性が惹起されるため分解可能である。
【発明の効果】
【００１２】
上述のように、本発明によれば、フロントホルダの交換作業が容易である。
【図面の簡単な説明】
【００１３】
【図１】本発明に係る油圧ブレーカの一実施形態を示す軸線を含む模式的縦断面図である。
【図２】本発明に係る油圧ブレーカが備えるフロントホルダのリン酸マンガン皮膜の顕微鏡写真（×１０００）である。
【図３】本発明に係る油圧ブレーカが備えるフロントホルダのリン酸マンガン皮膜の顕微鏡写真（×１００００）である。
【図４】従来の油圧ブレーカの一例を示す軸線を含む模式的縦断面図である。
【発明を実施するための形態】
【００１４】
以下、本発明の一実施形態について、図面を適宜参照しつつ説明する。図面は模式的なものである。そのため、厚みと平面寸法との関係、比率等は現実のものとは異なることに留意すべきであり、図面相互間においても互いの寸法の関係や比率が異なる部分が含まれている。
また、以下に示す実施形態は、本発明の技術的思想を具体化するための装置や方法を例示するものであって、本発明の技術的思想は、構成部品の材質、形状、構造、配置等を下記の実施形態に特定するものではない。
なお、本発明に係る油圧ブレーカの一実施形態の説明においては、上述した特許文献１に開示される、２ピース構造の本体部を有する油圧ブレーカと機械的構造において共通する部分は、上述した構造説明での符号と同一の符号を付して説明する。
【００１５】
図１に示すように、本実施形態の油圧ブレーカ１は、シリンダ１０およびバックヘッド１１をボルト２２で締結した２ピース構造の本体部を有する。本体部のシリンダ１０には、ピストン１２およびチゼル１３が摺嵌されている。
シリンダ１０の内部は、前方から後方へ向けてフロントヘッド部内径（前）２３、フロントヘッド部内径（後）２４、シリンダ部内径２５が形成されている。フロントヘッド部内径（後）２４とシリンダ部内径２５との間には、多段のラビリンスシール２６が設けられている。
【００１６】
フロントヘッド部内径（前）２３にはフロントキャップ１６が設けられ、フロントヘッド部内径（後）２４にはフロントホルダ１７が設けられている。シリンダ部内径２５には、前方から後方に向けてワッシャ１８、シリンダライナ（前）１９、シリンダライナ（後）２０、およびシールリテーナ２１が設けられている。
フロントキャップ１６とフロントホルダ１７はチゼル１３を摺動案内し、フロントホルダ１７に関しては、チゼル１３のテーパ部１３ａを、フロントホルダ１７のテーパ部１７ａに当接させて保持することで、チゼル１３の後退ストロークエンドのストッパとしても機能する。シリンダライナ（前）１９とシリンダライナ（後）２０はピストン１２を摺動案内する。
【００１７】
そして、本実施形態の油圧ブレーカ１は、シリンダ１０に、コントロールバルブ１４およびアキュムレータ１５が設けられて公知の打撃機構を構成しており、ピストン１２を前進後退駆動し、ピストン１２でチゼル１３を打撃可能に構成されている。これにより、本実施形態の油圧ブレーカ１は、この打撃によって生じる衝撃エネルギーをチゼル１３によって破砕対象に伝達して破砕対象を破砕可能になっている。
【００１８】
ここで、油圧ブレーカ１で破砕作業を行う際には、チゼル１３が反発によって破砕対象と離反することを防止するために、油圧ブレーカ１を破砕対象に対して大きな荷重で押し付ける。また、破砕作業中はチゼル１３で破砕作業を抉る動作を伴うことが多い。
したがって、チゼル１３の軸受部材であるフロントキャップ１６とフロントホルダ１７には大きな荷重負荷が作用する。特に、チゼル１３のテーパ部１３ａをテーパ部１７ａで支持するフロントホルダ１７には、通常のラジアル荷重に加えて、押し付けによって生じる強大なスラスト荷重が作用する。そのため、より過酷な使用環境下にあるといえる。
【００１９】
フロントキャップ１６は、フロントヘッド部内径（前）２３に冷し嵌めで固定され、フロントホルダ１７はそのフロントホルダ外径１７ｂがフロントヘッド部内径（後）２４冷し嵌めで固定されている。
ここで、フロントキャップ１６とフロントホルダ１７はともに消耗部材であり定期的な交換が必要となる。そこで、本実施形態においては、フロントホルダ１７の母材金属にはクロムモリブデン鋼を採用し、これを浸炭焼入れ処理した後に、フロントホルダ１７の表面に、浸漬法によるリン酸マンガン皮膜処理を施している。
【００２０】
これにより、フロントホルダ１７は、リン酸マンガンを含むリン酸塩溶液に浸漬されて、母材金属とその表面に形成された浸炭層および浸炭層の最表面に、リン酸マンガン皮膜が形成される。
本実施形態において、フロントホルダ１７は、浸炭層の厚さが０．５〜０．７ｍｍであり、リン酸マンガン皮膜の厚さが３〜７μｍである。また、フロントホルダ１７の硬度は、母材金属が４５ＨＲＣ、浸炭層が５５〜６０ＨＲＣ、リン酸マンガン皮膜が４１ＨＲＣ（モース硬度５）である。
【００２１】
次に、本実施形態のフロントホルダ１７およびこれを備える油圧ブレーカ１の作用効果について説明する。
ここで、本実施形態のリン酸マンガン皮膜は、図２および図３に示すように、単斜晶系の結晶構造を呈している。より具体的には、本実施形態のリン酸マンガン皮膜は、微細な矩形状が傾斜して配列されており、その頂点の集合が皮膜の表面を形成している。これにより、フロントホルダ１７とフロントヘッド部内径（後）２４とは、相互に無数の点接触と、その一部が加圧されたことによる自己犠牲で一部が変形した面接触と、によって保持される。
【００２２】
一般的に、リン酸マンガン皮膜処理は、結晶の粒子サイズによって標準〜微細〜超微細の３タイプに分類できる。本実施形態のフロントホルダ１７は、結晶の粒子サイズに、微細タイプを採用して処理を施している。
なお、粒子サイズは膜厚とほぼ同じであるため、本明細書において、粒子サイズが７μｍを超えるものを「標準タイプ」、粒子サイズが３μｍ以上７μｍ以下のものを「微細タイプ」、粒子サイズが３μｍ未満のものを「超微細タイプ」と定義する。
【００２３】
フロントホルダ１７は、中間嵌めによって冷し嵌めを行うところ、交換作業も安定的に行うためには高精度の寸法管理を必要とする。そのため、結晶の粒子サイズが標準タイプであると、リン酸マンガン皮膜処理での皮膜厚さのバラつきが大きくなるため好ましくない。
一方で、フロントホルダ１７は、過酷な荷重条件に晒されるので、リン酸マンガン皮膜処理での被膜の厚さは３μｍ以上を確保することが必要となる。そのため、結晶の粒子サイズが超微細粒子タイプであると、リン酸マンガン皮膜処理での被膜厚さが３μｍ未満になるため好ましくない。
【００２４】
このように、本実施形態では、フロントヘッド部内径（後）２４とフロントホルダ外径１７ｂとの嵌合い公差が中間嵌めなので、チゼル１３によってフロントホルダ１７に作用するラジアル荷重とスラスト荷重を保持可能である。
その一方で、本実施形態では、フロントホルダ１７の表面には、リン酸マンガン皮膜が形成されているので、フロントホルダ１７の交換作業の際に、プレス装置の静的荷重が作用すると、リン酸マンガン皮膜による摺動性が惹起されて分解可能である。
ここで、リン酸マンガン皮膜処理は「パルフォス処理」とも称されるが、摺動性を改善するための表面処理であり、摺動部材（嵌合い公差では隙間嵌め）に処理を施すものであるところ、本発明のように、冷し嵌めによって固定して使用する部材にリン酸マンガン皮膜処理を施すことは、従来ではあり得なかった。
【００２５】
なお、本発明に係る油圧ブレーカは、上記実施形態に限定されるものではなく、本発明の趣旨を逸脱しなければ種々の変形が可能なことは勿論である。
【符号の説明】
【００２６】
１    油圧ブレーカ
１０    シリンダ
１１    バックヘッド
１２    ピストン
１３    チゼル
１３ａ      チゼルテーパ部
１４    コントロールバルブ
１５    アキュムレータ
１６    フロントキャップ
１７    フロントホルダ
１７ａ    フロントホルダ外径
１７ｂ    フロントホルダテーパ部
１８    ワッシャ
１９    シリンダライナ（前）
２０    シリンダライナ（後）
２１    シールリテーナ
２２    ボルト
２３    フロントヘッド部内径（前）
２４    フロントヘッド部内径（後）
２５    シリンダ部内径
２６    ラビリンスシール
ＣＬ    中心軸線
【図１】
2020099956.tif 000003
【図２】
2020099956.tif 000004
【図３】
2020099956.tif 000005
【図４】
2020099956.tif 000006